(57)【要約】【課題】返しゴムによって跳ね返った遊技球の衝突による誘導釘の破損防止を図るパチンコ機を提供すること。【解決手段】遊技盤面に形成された遊技領域ｒ内の右側上部に、当該遊技領域に打ち込まれた遊技球を衝突させて跳ね返す返しゴムを設け、その跳ね返された遊技球が所定方向に誘導されるように設けられたパチンコ機において、返しゴム５０の衝突面５２に、所定深さの切り込み５３ａ，５３ｂ(又は溝)を適宜形成する、或いは返しゴム５５の衝突面５７に、複数の突起部５８を形成する。【選択図】図３
2011024643.tif 000002
【特許請求の範囲】
【請求項１】
遊技盤面に形成された遊技領域内の右側上部に、当該遊技領域に打ち込まれた遊技球を衝突させて跳ね返す返しゴムを設け、その跳ね返された遊技球が所定方向に誘導されるように設けられたパチンコ機において、
前記返しゴムの衝突面に、所定深さの切り込み又は溝が適宜形成されていることを特徴とするパチンコ機。
【請求項２】
遊技盤面に形成された遊技領域内の右側上部に、当該遊技領域に打ち込まれた遊技球を衝突させて跳ね返す返しゴムを設け、その跳ね返された遊技球が所定方向に誘導されるように設けられたパチンコ機において、
前記返しゴムの衝突面に、複数の突起部が設けられていることを特徴とするパチンコ機。
【請求項３】
遊技盤面に形成された遊技領域内の右側上部に、当該遊技領域に打ち込まれた遊技球を衝突させて跳ね返す返しゴムを設け、その跳ね返された遊技球が所定方向に誘導されるように設けられたパチンコ機において、
前記返しゴムに、空洞部が適宜設けられていることを特徴とするパチンコ機。
【請求項４】
前記返しゴムが、誘導レールの終端部に沿うように配置された飾り部材に設けられていることを特徴とする請求項１〜３の何れかに記載したパチンコ機。
【発明の詳細な説明】
【技術分野】
【０００１】
本発明は、返しゴムを狙って遊技球を打ち込む右打ち仕様のパチンコ機に関する。
【背景技術】
【０００２】
従来のパチンコ機において、遊技中に所定条件が成立して大当たり状態になったときに、遊技領域の右側上部に設けられた返しゴムを狙って遊技球を打ち込む（いわゆる「右打ち」）ことにより、遊技領域の右側に配置された始動口（第３種始動口）や大入賞口に遊技球を入賞させることができるように設けられたパチンコ機が知られている。
【０００３】
かかる右打ち仕様のパチンコ機において、返しゴムによって跳ね返された遊技球は、周辺の誘導釘に衝突・接触しつつ下方へ落下する。ところが、遊技球が長期間にわたり誘導釘に勢いよく衝突することが頻繁に繰り返されることにより、誘導釘が金属疲労を生じて破損してしまうという問題があった。
【０００４】
特許文献１のパチンコ機には、遊技領域の右側最上部に設けた返しゴムに対向する位置に、誘導釘に代わる合成樹脂製誘導部材を取付け、右打ちによって返しゴムによって跳ね返された遊技球が誘導部材の壁部に当たって勢いをそがれて下方へ落下するように誘導されることにより、誘導釘の折損を防止する技術事項が開示されている。
【０００５】
特許文献２のパチンコ機は、右打ち仕様のパチンコ機ではないが、直方体形状の返しゴムに２つの取付孔を穿設し、その取付孔に大径の位置決めピンを挿入した状態で返しゴムを飾り部材の上端縁に設けるという技術事項が開示されている。ただし、この文献には、返しゴムに衝突して跳ね返った遊技球を起因とする誘導釘の折損事故に関して何も記載されていない。
【先行技術文献】
【特許文献】
【０００６】
【特許文献１】特開平８−３２２９８８号公報
【特許文献２】特開平１１−９０００３号公報
【発明の概要】
【発明が解決しようとする課題】
【０００７】
本発明の目的は、返しゴムによって跳ね返った遊技球の衝突による誘導釘の破損を抑制可能なパチンコ機を提供することにある。
【課題を解決するための手段】
【０００８】
前記目的を達成するために請求項１に記載した発明は、遊技盤面に形成された遊技領域内の右側上部に、当該遊技領域に打ち込まれた遊技球を衝突させて跳ね返す返しゴムを設け、その跳ね返された遊技球が所定方向に誘導されるように設けられたパチンコ機において、
前記返しゴムの衝突面に、所定深さの切り込み又は溝が適宜形成されていることを特徴とする。
【０００９】
同様の目的を達成するために請求項２に記載した発明は、遊技盤面に形成された遊技領域内の右側上部に、当該遊技領域に打ち込まれた遊技球を衝突させて跳ね返す返しゴムを設け、その跳ね返された遊技球が所定方向に誘導されるように設けられたパチンコ機において、
前記返しゴムの衝突面に、複数の突起部が設けられていることを特徴とする。
【００１０】
同様の目的を達成するために請求項３に記載した発明は、遊技盤面に形成された遊技領域内の右側上部に、当該遊技領域に打ち込まれた遊技球を衝突させて跳ね返す返しゴムを設け、その跳ね返された遊技球が所定方向に誘導されるように設けられたパチンコ機において、
前記返しゴムに、空洞部が適宜設けられていることを特徴とする。
【００１１】
同様の目的を達成するために請求項４に記載した発明は、請求項１〜３の何れかに記載したパチンコ機において、前記返しゴムが、誘導レールの終端部に沿うように配置された飾り部材に設けられていることを特徴とするものである。
【発明の効果】
【００１２】
このパチンコ機によれば、遊技球が返しゴムに衝突したときに、返しゴムが変形して衝突エネルギーを吸収するので、遊技球の勢いが緩和される。これにより、返しゴムにあたって跳ね返った遊技球が誘導釘に衝突することが繰り返されたとしても、誘導釘の破損を可及的に抑制することができる。
【００１３】
加えて、このパチンコ機において、返しゴムを飾り部材に設けることにより、遊技盤面の装飾デザインを損なわない。
【図面の簡単な説明】
【００１４】
【図１】本発明に係るパチンコ機の遊技盤の正面図
【図２】図１における飾り部材周辺の拡大図
【図３】飾り部材を表側から見た斜視図
【図４】飾り部材を裏側から見た斜視図
【図５】第１実施例の返しゴムの説明図
【図６】第２実施例の返しゴムの説明図
【図７】第３実施例の返しゴムの説明図
【図８】返しゴムの衝撃吸収性能実験の説明図
【発明を実施するための形態】
【００１５】
以下に、本発明の最良の形態例を図面に基づいて説明する。
【００１６】
本発明に係るパチンコ機として１種の遊技と２種の遊技が可能な複合タイプのパチンコ機を実施例として説明する。ここでは、１種の遊技に対応する遊技を「通常遊技」といい、２種の遊技に対応する遊技を「時短遊技」という。
【００１７】
なお、この複合タイプのパチンコ機では、通常遊技の場合には遊技領域の左方位置に遊技球を打ち込む「左打ち」を行い、時短遊技の場合には遊技領域の右方位置に遊技球を打ち込む「右打ち」を主体に行なわれる。
【００１８】
図１において、このパチンコ機の遊技盤１の正面には、ほぼ渦巻状に配置した誘導レール２，３により囲まれる遊技領域ｒが形成され、その遊技領域ｒに中央役物５、中央役物５の中心に配置した液晶表示部７を有する図柄表示装置６、誘導釘８、風車９、普通入賞口１０、アウト球口１１等が設けられている。
【００１９】
遊技領域ｒ内の右側上部には、当該遊技領域に打ち込まれた遊技球を衝突させて跳ね返す返しゴム５０を備えた飾り部材４０を設けている。
【００２０】
中央役物５の下方には、遊技球が入賞可能な第１始動口２０が配置され、その第１始動口２０の真下に第２始動口作動装置２１が配置されている。第１始動口２０は通常遊技における始動口である。
【００２１】
第２始動口作動装置（いわゆる「電動チューリップ」）２１は、図示しないソレノイドの駆動により左右一対の羽根２２を起立させて遊技球を入りにくくする閉じた状態と、羽根２２，２２を逆ハ字形に傾動して遊技球を入り易くする開放状態とするように設けられている。第２始動口作動装置２１は、時短遊技における第２始動口２１ａである。
【００２２】
中央役物５の右下方には、第１大入賞口装置２５を配置している。また、中央役物５の右方には、遊技球が通過可能なゲート３０を配置している。これらのゲート３０、第２始動口作動装置２１、第１大入賞口装置２５及び第２大入賞口装置３２は、時短遊技に用いられる。
【００２３】
第１大入賞口装置２５は、図示しないソレノイドの駆動により扉２６を前後方向に揺動して第１大入賞口２５ａを開閉作動するように設けられ、通常時には、扉２６を起立させて第１大入賞口２５ａを閉鎖するように設けられている。他方、小当たりの場合には、ソレノイドの駆動により扉２６を前方へ傾動させて第１大入賞口２５ａを開放させ、遊技領域に打ち込まれた遊技球が扉２６の上面で受け止められて第１大入賞口２５ａの内方に形成された誘導室（図示せず）へ誘導されるように設けられている。その誘導室には、遊技球が通過可能な特定領域（以下、「Ｖゾーン」という）２７と、非特定領域（ハズレ穴）２８とが横並びに設けられている。
【００２４】
３２は第２始動口作動装置２１の下方に配置された大当たり遊技に用いられる第２大入賞口装置である。第２大入賞口装置３２は、図示しないソレノイドの駆動により横長形の扉３３を前後方向に揺動して第２大入賞口３２ａを開閉作動するように設けられ、通常時には扉３３を起立させて第２大入賞口３２ａを閉鎖するように設けられている。他方、遊技中に大当たりが発生した場合には、図示しないソレノイドの駆動により扉３３を前方へ傾動させて第２大入賞口３２ａを開放し、遊技領域に打ち込まれて流下した遊技球が扉３３の上面で受け止められたときに第２大入賞口３２ａの内方に形成された誘導室（図示せず）に当該遊技球を誘導するように設けられている。
【００２５】
しかして、遊技球がゲート３０を通過するのを契機としてメイン制御基板（図示せず）にて抽選が行なわれ、その抽選結果が当りの場合に第２始動口作動装置２１の羽根２２を逆ハ字形に開放するように設けられる。
【００２６】
第２始動口２１ａに遊技球が入賞することにより行なわれる抽選結果が大当たりの場合には、図柄表示装置６の液晶表示部７に大当たりの装飾図柄を停止表示し、第２大入賞口装置３２の扉３３を所定回数だけ開閉作動する所定数のラウンドの大当たり遊技が可能となる。
【００２７】
他方、第２始動口２１ａに遊技球が入賞することにより行なわれる抽選結果が小当たりの場合には、第１大入賞口装置２５の扉２６を前方へ傾動させて第１大入賞口２５ａを所定時間だけ開放して閉鎖する制御がなされる。
【００２８】
そして、小当たり中に第１大入賞口２５ａに入った遊技球が誘導室内を転動してＶゾーン２７に流入した場合には、第２大入賞口３２ａを所定回数（例えば、１５回）だけ繰り返して開閉する大当たり遊技を実行することができる。
【００２９】
因みに、前記抽選において小当たりとなる確率を大当たりの場合と比べて格段と高くなるように設定すれば、第１大入賞口２５ａに入賞する機会が極めて多くなりＶゾーン２７に入る機会が著しく増加することになる。
【００３０】
しかして、上述したように特に小当たりの場合には、遊技球を開放状態とされる第１大入賞口２５ａに入賞させるために「返しゴム」を狙って遊技球を打ち込む「右打ち」が行なわれることになる。
【００３１】
つぎに、上記構成になるパチンコ機を前提として本発明の要旨である「返しゴム」について説明する。
図２に示すように、返しゴムを備えた飾り部材４０は、誘導レール２の終端部２aに沿うように配置されている。飾り部材４０のプラスチック製本体４１は、ほぼ円弧形に形成されていて、上部４１aと下部４１ｄとで径方向の段差を生ずる中間部４１ｃに後記返しゴムを所定角度で保持する凹部４２を設けると共に当該凹部４２の中心にピン４３を後方へ突出するように設けている（図４）。本体４１の裏面側には、遊技盤１に設けられる取付け孔（図示せず）に挿入するための固定用ピン４４が３箇所に突設されている。
【００３２】
また、本体４１の上部４１aの内周縁には一定高さの壁部４１ｂを形成し、その壁部４１ｂの内面に所定厚さのゴム板片４６を貼着している。このゴム板片４６は、遊技盤１の正面を覆うように配置される公知のガラス板（図示せず）の内面との隙間を埋めるために設けられる。
【００３３】
返しゴムは、遊技領域ｒに打ち込まれた遊技球が衝突したときに、その衝撃エネルギーを吸収して遊技球の跳ね返りの勢いを抑制する機能を発揮するように、比較的やわらかいゴム素材を用いて以下に説明する形態に設けられている。
【００３４】
図５に示す第１実施例の返しゴム５０は、飾り部材４０の凹部４２に挿入可能な大きさである約１６ｍｍのサイコロ形状に設けられ、前記ピン４３に挿入する固定孔５１が形成されている。遊技球の衝突面５２は、固定孔５１の長手方向と直交する方向に設けられている。衝突面５２の中央縦方向には、深さ２ｍｍ程度の切り込み（スリット）５３ａを形成している。また、衝突面５２の上方寄りには、深さ２ｍｍ程度の切り込み５３ｂを形成している。
【００３５】
なお、返しゴム５０については、切り込みに代えて所定幅寸法の溝とすることもできる。
【００３６】
図６に示す第２実施例の返しゴム５５は、飾り部材４０の凹部４２に挿入可能な大きさである約１６ｍｍのサイコロ形状に設けられ、前記ピン４３に挿入する固定孔５６が形成されている。遊技球の衝突面５７は、固定孔５６の長手方向と直交する方向に設けられている。衝突面５７には、多数の半球状の突起部５８が一体に設けられている。
【００３７】
図７に示す第３実施例の返しゴム６０は、飾り部材４０の凹部４２に挿入可能な大きさである約１６ｍｍのサイコロ形状に設けられ、前記ピン４３に挿入する固定孔６１が形成されている。６２は返しゴム６０に設けられた空洞部としての複数の透孔である。これらの透孔６２は、返しゴム６０の変形を容易にするために設けるが、その大きさや個数については適宜設計するものとする。遊技球の衝突面６３は、固定孔６１の長手方向と直交する方向とする。
【００３８】
なお、上記返しゴムは、何れも衝突面を平坦としているが、これを凹円弧形状として耐久性を向上させることも可能である。
【００３９】
上述した本発明に係るパチンコ機において、「右打ち」が行なわれた場合、遊技領域に打ち込まれた遊技球ｘは返しゴム５０に衝突し、跳ね返されて勢いをそがれた遊技球は近くの誘導釘８に当たるか、当たらずに落下し、途中の誘導釘８により方向を変えつつゲート３０や第１大入賞口２５ａの方角に誘導される。
【００４０】
よって、本発明に係るパチンコ機によれば、右打ちされた遊技球が返しゴムに衝突し、返しゴムにあたって跳ね返った遊技球が誘導釘に衝突することが繰り返されたとしても、誘導釘の破損を可及的に抑制することができる。
【００４１】
（実験）
本発明に係る切り込みを衝突面に形成した返しゴムについて、衝撃吸収性能の実験を行なった。その結果を表１に示す。なお、切込みを設けない従来の返しゴムを比較例として同様の実験を行ない、その結果を表２に示した。
実験方法
１．図８に示す状態において、遊技球の発射速度と、返しゴムに衝突後の反射速度とを高速度カメラを使用して１０回の測定を行ない、その平均値等を計算して性能を比較する。
２．本発明に係る返しゴムの切り込みは、デザインカッターを用いて深さ約２ｍｍに加工した。
【００４２】
【表１】
2011024643.tif 000003
【００４３】
【表２】
2011024643.tif 000004
【００４４】
実験結果によれば、本発明に係る返しゴムの反射速度は、比較例の返しゴムと比べて平均で０．０３ｍｍ／秒だけ小さい値となり、衝突面に切込みを施すことにより返しゴムが変形して衝撃を吸収することが確認された。
【符号の説明】
【００４５】
１・・・遊技盤
ｒ・・・遊技領域
４０・・・飾り部材
５０・・・返しゴム
５２・・・衝突面
５３ａ，５３ｂ・・・切り込み
５５・・・返しゴム
５７・・・衝突面
５８・・・突起部
６０・・・返しゴム
６２・・・透孔（空洞部）
【図１】
2011024643.tif 000005
【図２】
2011024643.tif 000006
【図３】
2011024643.tif 000007
【図４】
2011024643.tif 000008
【図５】
2011024643.tif 000009
【図６】
2011024643.tif 000010
【図７】
2011024643.tif 000011
【図８】
2011024643.tif 000012